(57)【要約】【課題】  データ端末装置から供給される電源により動作する無線通信端末及び無線通信端末用アダプタにおいて、データ端末装置に送信するデータをＰＰＰフレーム毎にカプセル化し、所定の送信間隔を空けてデータ通信を行う。【解決手段】  制御部２５のカプセル化処理部２６１は、ＰＰＰデータをＰＰＰフレーム毎にカプセル化を行い、このカプセル化されたデータをバッファ２６２へ出力し、通信処理部２６３は、バッファ２６２に格納されているカプセル化されたデータをデータ端末装置３へ所定の送信間隔を空けて送信する。【選択図】  図２
2009260621.tif 000002
【特許請求の範囲】
【請求項１】
データ端末装置から供給される電源により動作する無線通信端末であって、
基地局と無線によりデータ通信を行う無線通信手段と、
データ端末装置と接続する接続手段と、
基地局から無線により受信したデータをカプセル化するカプセル化処理手段と、
カプセル化したデータをデータ端末装置へ送信する送信間隔を設定する設定手段と、
カプセル化したデータをデータ端末装置へ送信する際に、設定された送信間隔経過後に、次のカプセル化したデータを送信する通信処理手段と
を有することを特徴とする無線通信端末。
【請求項２】
データ端末装置から供給される電源により動作する無線通信端末用のアダプタであって、
基地局と無線により通信を行う無線通通信モジュールと接続する第１の接続手段と、
データ端末装置と接続する第２の接続手段と、
基地局から無線により受信したデータをカプセル化するカプセル化処理手段と、
カプセル化したデータを第２の接続手段を介してデータ端末装置へ送信する送信間隔を設定する設定手段と、
カプセル化したデータをデータ端末装置へ送信する際に、設定された送信間隔経過後に、次のカプセル化したデータを送信する通信処理手段と
を有することを特徴とする無線通信端末。
【発明の詳細な説明】
【技術分野】
【０００１】
本発明は、データ端末装置と接続され、データ端末装置から供給される電源により動作する無線通信端末及び無線通信端末用アダプタに関し、特に、データ端末装置とのデータ通信の技術に関する。
【背景技術】
【０００２】
従来、外部機器に無線通信端末を接続し、当該無線通信端末を利用した無線通信により外部機器と他の機器とのデータ通信が行われている。
このような外部機器に接続される無線通信端末として、例えば、第二世代の無線通信機から第三世代の無線通信機へ置換えた場合に、無線通信機が接続されるデータ端末装置のソフトウェアを修正することなく、第三世代の無線通信機で的確に回線交換方式とパケット交換方式を判断して接続できる無線通信機の提供を実現するための発明が提案されている（特許文献１参照）。
【特許文献１】特開２００６−２２２４９１号公報
【発明の開示】
【発明が解決しようとする課題】
【０００３】
しかしながら、従来の無線通信端末では、無線通信網から多量のデータを受信した場合に、受信したデータをそのままデータ端末装置に送信すると、データ端末装置のデータ処理が遅い場合に、データ端末装置で受信データを取りこぼすことがあり、取りこぼしたデータの再送信が発生し、スループットの低下やデータ通信が正常に完了しない等の問題が生じる。
【０００４】
本発明は、上記従来の実情に鑑みなされたものであり、無線通信端末とデータ端末装置との間で行われるデータ通信をデータ端末装置の処理能力に合わせて行うことができる無線通信端末及び無線通信端末用アダプタを提供することを目的としている。
【課題を解決するための手段】
【０００５】
本発明は、データ端末装置から供給される電源により動作する無線通信端末であって、  基地局と無線により通信を行う無線通信手段と、データ端末装置と接続する接続手段と、基地局から無線により受信したデータをカプセル化するカプセル化処理手段と、カプセル化したデータをデータ端末装置へ送信する送信間隔を設定する設定手段と、カプセル化したデータをデータ端末装置へ送信する際に、設定された送信間隔経過後に次のカプセル化したデータを送信する通信処理手段とを有することを特徴としている。
【０００６】
すなわち、本発明の無線通信端末では、受信したデータをカプセル化し、このカプセル化したデータをデータ端末装置に送信する際に、所定の送信間隔を空けてから次のカプセル化したデータを送信することにより、データ端末装置での受信データの取りこぼしを防止することができる。
【０００７】
また、本発明は、データ端末装置から供給される電源により動作する無線通信端末用アダプタであって、基地局と無線により通信を行う無線通通信モジュールと接続する第１の接続手段と、データ端末装置と接続する第２の接続手段と、基地局から無線により受信したデータをカプセル化するカプセル化処理手段と、カプセル化したデータを第２の接続手段を介してデータ端末装置へ送信する送信間隔を設定する設定手段と、カプセル化したデータをデータ端末装置へ送信する際に、設定された送信間隔経過後に次のカプセル化したデータを送信する通信処理手段とを有することを特徴としている。
【０００８】
すなわち、本発明の無線津新端末用アダプタでは、受信したデータをカプセル化し、このカプセル化したデータをデータ端末装置に送信する際に、所定の送信間隔を空けてから次のカプセル化したデータを送信することにより、データ端末装置での受信データの取りこぼしを防止することができる。
【発明の効果】
【０００９】
本発明によると、無線通信端末端末又は無線通信端末用アダプタが、データ端末装置に送信するデータをカプセル化し、所定の送信間隔を空けてカプセル化したデータをデータ端末装置に送信するようにしているため、データ端末装置の処理能力に合わせてデータを送信することができ、データ端末装置での受信データの取りこぼしを防止することができる。
【発明を実施するための最良の形態】
【００１０】
以下に、本発明の実施の形態について図面を参照して詳細に説明する。
図１は、本発明に係る無線通信端末を用いて構成される無線通信システムの一例を概略的に示している。
【００１１】
本例の無線通信システムでは、データ端末装置３に無線通信端末１が内蔵され、データ端末装置３から出力されるデータは、無線通信端末１により無線通信方式（例えば、Ｗ−ＣＤＭＡ方式やＣＤＭＡ方式等）に用いられるデータに変換されて無線信号で基地局４に送信し、基地局４、交換機５及び通信網６を介してサーバ７へ送信される。
【００１２】
また、サーバ７から出力されるデータは、上記と逆の順で無線通信端末１に送信され、無線通信端末１で、データ端末装置３で用いられるデータに変換して、データ端末装置３で受信される。
なお、基地局４と無線通信端末２との無線区間は、最大で３８４００ｂｐｓの回線速度でデータ通信が行われる。
【００１３】
ここで、上記無線通信システムの適用例を説明する。例えば、一例として、データ端末装置３が自動販売機とし、サーバ７が自動販売機を管理する管理会社等の企業内のＬＡＮ等に接続されて設置されているとする。そして、自動販売機を管理するために、サーバ７から在庫等を確認するためのデータが出力されると、通信網６、交換機５、基地局４及び無線通信端末１を介して、無線通信装置１と接続される自動販売機であるデータ端末装置３にサーバ７が出力したデータが受信される。
【００１４】
在庫等を確認するためのデータを受信した自動販売機であるデータ端末装置３は、自動販売機内の例えば、飲料やタバコ等の在庫等を確認して、その結果のデータを無線通信端末１に出力し、無線通信端末１から基地局４、交換機５及び通信網６を介して自動販売機を管理する管理会社のサーバ７に受信される。
このようにして、管理会社等のサーバ６が、自動販売機等のデータ端末装置１を遠隔で管理することが可能となる。
【００１５】
図２は、本実施の形態に係る無線通信端末１及びデータ端末装置３の機能ブロックを例示している。
無線通信端末１は、外部電源としてのデータ端末装置３から電力供給を受けて動作しており、無線信号を送受信するアンテナ１１と、通信データを無線通信方式に用いられる無線信号に変換してアンテナ１１により送信し、基地局から送信される無線信号をアンテナ１１から受信して当該無線信号を通信データに変換する無線通信モジュール１２と、後述する携帯無線端末用のアダプタ２とを備えている。
なお、上記の無線通信モジュール１２とは、無線通信端末１の無線通信手段として用いられるものである。
【００１６】
携帯無線端末用アダプタ２（以下、単に「アダプタ」）は、無線モジュール１２とデータ端末装置３とをそれぞれ接続するためのインターフェース（インターフェース１２、入出力部２４）を備え、無線モジュール１２からのデータをデータ端末装置３へ出力する機能と、データ端末装置３からのデータを無線モジュール１２へ出力する機能を備えるものである。
【００１７】
アダプタ２は、データ端末装置３から電力を受けて動作しており、無線通信モジュール１２との間でデータ通信を行うためのインターフェース２１と、プログラムや受信したデータ等を記憶する記憶部２２と、無線通信端末１の状態等を表示する表示部２３と、データ端末装置３と接続してデータ端末装置３の入出力部３２との間でデータ通信を行う入出力部２４と、一定時間を計測するタイマ２５と、各機能部２１〜２５の動作を制御する制御部２６とを備えている。
【００１８】
更に、制御部２５は、無線通信モジュール１２からインターフェース２１を介して受信した受信データがデータ端末装置３宛のデータの場合に、ＰＰＰ（Ｐｏｉｎｔ−ｔｏ−Ｐｏｉｎｔ  Ｐｒｏｔｏｃｏｌ）データの開始符号から終了符号までを１つＰＰＰフレーム単位でカプセル化するカプセル化処理部２６１と、カプセル化処理部２６１でカプセル化されたデータ（以下、単に「カプセル化データ」）を一時的に格納するバッファ２６２と、バッファ２６２に格納されたカプセル化データを所定の送信間隔を空けてデータ端末装置３へ送信する通信処理部２６３とを備えている。
【００１９】
また、データ端末装置３は、無線通信端末１（アダプタ２）に動作電力を供給する電源３１と、アダプタ２と接続しアダプタ２の入出力部２４との間でデータ通信を行う入出力部３２と、プログラムや受信したデータを記憶する記憶部３３と、データを表示するための表示部３４と、利用者からの操作指示を受け付けるためのボタンやタッチパネル等の操作部３５と、各機能部３２〜３５の動作を制御する制御部３６とを備えている。
【００２０】
本例では、無線通信端末１とデータ端末装置３との接続手段（接続インターフェース）としてＲＳ−２３２Ｃを用いているが、ＵＳＢ（Ｕｎｉｖｅｒｓａｌ  Ｓｅｒｉａｌ  Ｂｕｓ）等の他のインターフェースを用いてもよい。また、無線通信端末１とデータ端末装置３との間でのデータ通信はシリアル通信を用いている。
なお、無線通信端末２とデータ端末装置との間は、２４００ｂｐｓ〜４６０８００ｂｐｓの範囲内の回線速度でデータ通信が行われる。
【００２１】
次に、アダプタ２がカプセル化データを送信する際の送信間隔を設定する処理について図３を用いて説明する。図３は、アダプタ２の制御部２６のカプセル化データの送信間隔を設定する処理のフローチャートである。
【００２２】
送信間隔の設定は、ＡＴコマンドにより設定するものであり、データ端末装置の処理能力に応じて、例えば、０〜２００ｍｓの範囲で、１０ｍｓ単位で設定する。
また、サーバ７からＡＴコマンドを無線通信網を介してアダプタ２に送信して設定する方法及びアダプタ２の入出力部２４に設定ツールとしてパソコンを接続してＡＴコマンドにより設定する方法がある。
【００２３】
アダプタ２の制御部２６は、サーバ７又は入出力部２４に接続された設定ツールからＡＴコマンドを受信すると（ステップＳ３００）、受信したＡＴコマンドが送信間隔設定コマンドか否かを判断する（ステップＳ３０１）。ステップＳ３０１の判断の結果、ＡＴコマンドが送信間隔設定コマンドの場合には、ＡＴコマンドで受信した送信間隔設定値を記憶部２２に記憶して（ステップＳ３０２）、処理を終了する。
アダプタ２の制御部２６は、送信間隔設定値が設定されると、記憶部２２に記憶された送信間隔設定値の間隔を空けてデータ端末装置３にデータを送信する。
また、ステップＳ３０１で送信間隔設定コマンドでない場合には、ステップＳ３０３に進みＡＴコマンドに対応する処理を行い、処理を終了する。
【００２４】
次に、サーバ７から送信されたデータ端末装置３宛てのＰＰＰデータをＰＰＰフレーム単位でカプセル化する処理について、図４及び図５を用いて説明する。図４は、アダプタ２のカプセル化処理部２６１でのＰＰＰデータをカプセル化する処理のフローチャートであり、図５は、カプセル化処理部２６１でのカプセル化の具体例を示す図である。
【００２５】
基地局４からアンテナ１１、無線通信モジュール１２、インターフェース２１を介してデータ端末装置宛てのＰＰＰデータが入力されると（ステップＳ４００）、カプセル化処理部２６１によりＰＰＰフレーム単位でカプセル化処理を行う（ステップＳ４０１）。このカプセル化されたデータをバッファ２６２に出力して（ステップＳ４０２）、処理を終了する。
【００２６】
図５に示すように、ＰＰＰデータは、開始符号（７Ｅ）とデータと終了符号（７Ｅ）とをＰＰＰフレーム単位として構成されている。
上記ステップＳ４０１のカプセル化処理は、この開始符号（７Ｅ）から終了符号（７Ｅ）をＰＰＰフレーム単位のカプセル化データとして抽出する処理であり、この抽出したカプセル化データは、バッファ２６２に出力され、バッファ２６２にカプセル化データ毎に格納される。
【００２７】
次に、アダプタ２からデータ端末装置３へデータを送信する際の処理について図６を用いて説明する。図６は、アダプタ２の通信処理部２６３の送信処理のフローチャートである。
【００２８】
通信処理部２６３が、上述のカプセル化処理部２６１でＰＰＰデータのカプセル化処理が行われて、バッファ２６２にカプセル化データを格納されているか否かの判断を行い（ステップＳ６０１）、バッファ２６２にカプセル化データが格納されていないと、処理を終了する。
【００２９】
ステップＳ６０１でバッファ２６２にカプセル化データが格納されていると、バッファ２６２に格納されている１つのカプセル化データを取り出し、入出力部２４を介してデータ端末装置３に送信して（ステップＳ６０３）、タイマ２５をスタートさせ（ステップＳ６０４）、記憶部２２に記憶されている送信間隔設定値で設定される送信間隔時間の計測を開始する（ステップＳ６０５）。そして、ステップＳ６０５で送信間隔時間が経過すると（ステップＳ６０７）、タイマ２５を停止し（ステップＳ６０６）、バッファ２６２に次のカプセル化データがあるか否かの判断が行われ（ステップＳ６０７）、次のカプセル化データが存在しなければ、処理を終了する。
【００３０】
ステップＳ６０７で、次のカプセル化データが存在すると、上記ステップＳ６０２へ戻り、バッファ２６２に格納されているカプセル化データがなくなるまで、ステップＳ６０２からステップＳ６０７の処理を繰り返し行われる。
【００３１】
上述の本実施の形態のアダプタ２（無線通信端末１）によれば、データ端末装置３の処理能力に応じて、送信間隔値が設定され、受信したＰＰＰデータをＰＰＰフレーム単位でカプセル化することにより、このカプセル化されたデータをデータ端末装置３へ送信する場合に、設定された送信間隔値の間隔を空けて、カプセル化データをデータ端末装置３へ送信するため、データ端末装置３は、カプセル化データを取りこぼすことなく処理を行うことができる。
また、データの再送信が減るため、スループットの低下を防止し、更には無線通信料の低減を図ることができる。
【図面の簡単な説明】
【００３２】
【図１】本発明の一実施形態に係る無線通信システムを概略的に示す図である。
【図２】本発明の一実施形態に係る無線通信端末の機能ブロック図である
【図３】本発明の一実施形態に係るアダプタの送信間隔値の設定処理を示すフローチャート図である。
【図４】本発明の一実施形態に係るアダプタの受信データのカプセル化処理を示すフローチャートである。
【図５】本発明の一実施携帯に係るアダプタの受信データのカプセル化を具体的に説明する図である。
【図６】本発明の一実施形態に係るアダプタのカプセル化データの送信処理を示すフローチャートである。
【符号の説明】
【００３３】
１・・・無線通信端末、２・・・無線通信端末用のアダプタ、３・・・データ端末装置、４・・・基地局、５・・・交換機、６・・・通信網、７・・・サーバ、１１・・・アンテナ、１２・・・無線通信モジュール、２１・・・インターフェース、２２・・・記憶部、２３・・・表示部、２４・・・入出力部、２５・・・タイマ、２６・・・制御部、２６１・・・カプセル化処理部、２６２・・・バッファ、２６３・・・通信処理部、３１・・・電源、３２・・・入出力部、３３・・・記憶部、３４・・・表示部、３５・・・操作部、３６・・・制御部、８１・・・操作部
【図１】
2009260621.tif 000003
【図２】
2009260621.tif 000004
【図３】
2009260621.tif 000005
【図４】
2009260621.tif 000006
【図６】
2009260621.tif 000007
【図５】
2009260621.tif 000008